(57)【要約】【課題】略垂直な擁壁面を高い高さをもって形成する場合であっても、容易に構築することができる擁壁構造を提供する。【解決手段】基礎面９ａ上に複数の支柱３が間隔をあけて立設され、その複数の支柱３の前側において壁面パネル５が積層状態をもって該支柱３のいずれかに取付けられ、その各支柱３に、裏込め材料６内に延びて該裏込め材料６と協働して移動抵抗力を付与するアンカー部材４がそれぞれ取付けられている。【選択図】　　　　図３
2004124394.tif 000002
【特許請求の範囲】
【請求項１】
複数の土木用ブロックを連結線により連結した土木構築物用構築材が基礎面上に順次、積み上げられ、該積み上げられた土木構築物用構築材により該土木構築物用構築材の内側に充填される裏込め材料が保持される擁壁構造において、
前記基礎面上に複数の支柱が間隔をあけて立設され、
前記各土木構築物用構築材が、前記複数の土木用ブロックとして複数の独立した板状の壁材を用いることにより、長尺な壁面パネルとされ、
前記各壁面パネルが、前記支柱の前側において該支柱のいずれかに取付けられ、
前記各支柱に、前記裏込め材料内に延びて該裏込め材料と協働して移動抵抗力を付与するアンカー部材がそれぞれ取付けられている、
ことを特徴とする擁壁構造。
【請求項２】
請求項１において、
前記各支柱が、前後方向において対向する一対の対向壁部と、該一対の対向壁部を連結する連結壁部とを有して、内部が該一対の対向壁部間を介して外部に開放される構成とされ、
前記アンカー部材が、前記支柱から前記裏込め材料内に延びる軸状部と、該軸状部の先端部に設けられるストッパーパネルとを備え、
前記一対の対向壁部のうち、後側対向壁部に挿通孔が形成され、
前記後側対向壁部の挿通孔に前記アンカー部材の基端部が挿通され、
前記アンカー部材の基端部に、前記後側対向壁部を挟持するように一対のナットが螺合されている、
ことを特徴とする擁壁構造。
【請求項３】
請求項２において、
前記一対の対向壁部のうちの前側対向壁部に挿通孔が形成され、
前記壁面パネルの裏面側に雌ねじ部が形成され、
前記前側対向壁部の後方側から該前側壁部の挿通孔にボルトが挿通され、
前記ボルトが前記壁面パネルの雌ねじ部に螺合されている、
ことを特徴とする擁壁構造。
【請求項４】
請求項３において、
前記壁面パネルが、前記雌ねじ部と前記ボルトとの螺合関係を利用して、隣り合う両支柱に跨るようにして取付けられている、
ことを特徴とする擁壁構造。
【請求項５】
請求項１において、
前記各支柱が、複数の支柱構成部材を上下方向に連結する構成とされ、
前記各支柱構成部材に前記アンカー部材がそれぞれ取付けられている、
ことを特徴とする擁壁構造。
【請求項６】
請求項５において、
前記各支柱構成部材が、前後方向において対向する一対の対向壁部と、該一対の対向壁部を連結する連結壁部とを有して、内部が該一対の対向壁部間を介して外部に開放される構成とされ、
前記各アンカー部材が、前記支柱構成部材から前記裏込め材料内に延びる軸状部と、該軸状部の先端部に設けられるストッパーパネルとを備え、
前記各支柱構成部材に、前記一対の対向壁部の後側対向壁部において挿通孔が形成され、
前記各支柱構成部材における後側対向壁部の挿通孔に前記アンカー部材の基端部がそれぞれ挿通され、
前記各アンカー部材の基端部に、前記後側対向壁部を挟持するように一対のナットが螺合されている、
ことを特徴とする擁壁構造。
【請求項７】
請求項６において、
前記各支柱構成部材に、前記一対の対向壁部の前側対向壁部において挿通孔が形成され、
前記壁面パネルの裏面側に雌ねじ部が形成され、
前記各支柱構成部材における前側対向壁部の後方側から該前側壁部の挿通孔にボルトがそれぞれ挿通され、
前記ボルトが前記壁面パネルの雌ねじ部に螺合されている、
ことを特徴とする擁壁構造。
【請求項８】
請求項１において、
前記積み上げられた壁面パネルのうち、上下に隣り合う壁面パネルが凹凸嵌合されている、
ことを特徴とする擁壁構造。
【請求項９】
複数の独立した薄板状の壁材を連結線を用いて連結した長尺な壁面パネルと、複数の支柱と、裏込め材料と協働して移動抵抗力を付与するアンカー部材とを用意し、
先ず、前記複数の支柱を施工面上に間隔をあけて立設し、
次に、前記各支柱に前記アンカー部材を後側に延びるようにして取付けると共に、該アンカー部材が移動抵抗力を発揮するように該アンカー部材を裏込め材料をもって埋め込み、
次に、前記長尺な壁面パネルを、前記支柱の前側において順次、積み上げると共に、該各壁面パネルを該支柱のいずれかに取付け、
次に、前記積み上げられた壁面パネルの後側に裏込め材料を充填する、
ことを特徴とする擁壁構造の施工方法。
【請求項１０】
請求項９において、
前記アンカー部材を、前記各支柱に該各支柱の下側から上側に間隔をあけて順次、取付けることとし、
前記支柱に対する前記各アンカー部材の取付けの度に、そのアンカー部材の取付け後において、前記裏込め材料による該アンカー部材の埋め込み、前記壁面パネルの積み上げ及び前記積み上げられた壁面パネルの後側への裏込め材料の充填を一連の作業として、行う、
ことを特徴とする擁壁構造の施工方法。
【請求項１１】
請求項９において、
前記支柱に対するアンカー部材の取付け構造を、該アンカー部材の基端部を該支柱の構成部を貫通させると共に該構成部を該アンカー部材の基端部に螺合される一対のナットにより挟持するものとし、
前記一連の作業のうち、前記裏込め材料によるアンカー部材の埋め込み後であって前記壁面パネルの積み上げ前、或いは該壁面パネルの積み上げ後の少なくともいずれか一方の時において、前記支柱の起立状態を調べて、該支柱の起立状態を前記アンカー部材の基端部に対する前記一対のナットの螺合状態の調整により調整する、
ことを特徴とする擁壁構造の施工方法。
【請求項１２】
請求項９〜１１のいずれかにおいて、
前記各支柱を、複数の支柱構成部材を上方に順次、連結して延ばし、
前記各支柱構成部材に対して、２本以上のアンカー部材を上下方向に間隔をあけて取付ける、
ことを特徴とする擁壁構造の施工方法。
【請求項１３】
請求項１において、
前記壁面パネルの壁材間に保水部材が設けられている、
ことを特徴とする擁壁構造。
【発明の詳細な説明】
【０００１】
【発明の属する技術分野】
本発明は、擁壁構造及び擁壁構造の施工方法に関する。
【０００２】
【従来の技術】
近時、護岸、擁壁等の土木構築物の構築においては、土木構築物用構築材が用いられる傾向にある。その土木構築物用構築材の一つとして、特許文献１に示すように、壁材部と、該壁材部から該壁材部の上下幅と同一の長さをもって後方に延びる延出部と、該延出部に設けられるフランジ状の抵抗力増大部とをコンクリートにより一体的に形成した土木用ブロックを複数用意し、その複数の土木用ブロックを連結線により連結してその各土木用ブロックの壁材部をもって長尺な壁面パネルを構成したものが示されている。
このものを用いれば、複数の土木用ブロックの壁材部をもって長尺な壁面パネルが構成されることから、土木用ブロックを個々に積み上げる場合に比して積み上げ施工回数を減らすことができ、しかも、連結線を各土木用ブロック間で曲げて、壁面パネルを湾曲させることもできることになる。
【０００３】
【特許文献１】
特開２００１−１４６７２６号公報
【０００４】
【発明が解決しようとする課題】
しかし、上記土木構築物用構築材における各土木用ブロックは、壁材部だけでなく、後方に延びる延出部、その延出部に設けられる抵抗力増大部をも、重量安定性、移動抵抗力等を確保するために有しており、それらがコンクリートにより一体的に構成されていることから、各土木用ブロック自体は、かなりの重量物となっている。このため、複数の土木用ブロックを連結して壁面パネルを構成することとした場合には、それを用いれば、積み上げ施工回数を減らすことができるものの、積み上げ作業自体が大がかりとなり、さらには、積み上げ時の微調整は手軽には行えないことになる。
特に、土木構築物として擁壁を構築する場合においては、略垂直な擁壁面をもって、その擁壁面の高さを高めなければならないときがあり、そのようなときには、各土木構築物用構築材個々の安定性を高める必要から、延出部を十分に後方に延ばすと共に抵抗力増大部を大きくとらなければならず、それが、一層、積み上げ作業等を困難なものにする。
【０００５】
本発明は以上のような事情を勘案してなされたもので、その第１の技術的課題は、略垂直な擁壁面を高い高さをもって形成する場合であっても、容易に構築することができる擁壁構造を提供することにある。
第２の技術的課題は、上記擁壁構造の施工方法を提供することにある。
【０００６】
【課題を解決するための手段】
上記第１の技術的課題を達成するために本発明（請求項１の発明）にあっては、
複数の土木用ブロックを連結線により連結した土木構築物用構築材が基礎面上に順次、積み上げられ、該積み上げられた土木構築物用構築材により該土木構築物用構築材の内側に充填される裏込め材料が保持される擁壁構造において、
前記基礎面上に複数の支柱が間隔をあけて立設され、
前記各土木構築物用構築材が、前記複数の土木用ブロックとして複数の独立した板状の壁材を用いることにより、長尺な壁面パネルとされ、
前記各壁面パネルが、前記支柱の前側において該支柱のいずれかに取付けられ、
前記各支柱に、前記裏込め材料内に延びて該裏込め材料と協働して移動抵抗力を付与するアンカー部材がそれぞれ取付けられている構成としてある。この請求項１の発明の好ましい態様としては、請求項２〜８、１３の記載の通りとなる。
【０００７】
上記第２の技術的課題を達成するために本発明（請求項９の発明）にあっては、
複数の独立した薄板状の壁材を連結線を用いて連結した長尺な壁面パネルと、複数の支柱と、裏込め材料と協働して移動抵抗力を付与するアンカー部材とを用意し、
先ず、前記複数の支柱を施工面上に間隔をあけて立設し、
次に、前記各支柱に前記アンカー部材を後側に延びるようにして取付けると共に、該アンカー部材が移動抵抗力を発揮するように該アンカー部材を裏込め材料をもって埋め込み、
次に、前記長尺な壁面パネルを、前記支柱の前側において順次、積み上げると共に、該各壁面パネルを該支柱のいずれかに取付け、
次に、前記積み上げられた壁面パネルの後側に裏込め材料を充填する、
ことを特徴とする擁壁構造の施工方法とした構成としてある。この請求項９の発明の好ましい態様としては、請求項１０〜１２の記載の通りとなる。
【０００８】
【発明の効果】
請求項１に記載された発明によれば、アンカー部材が裏込め材料と協働して各支柱の起立状態を補強することから、その起立度の高い（垂直度の高い）各支柱に対して沿わせつつ壁面パネルを積み上げると共に、その各壁面パネルを支柱に取付けさえすえば、その各壁面パネルをもって、高さの高い略垂直な擁壁面であっても確実に形成できることになる。
しかも、その擁壁構築に際して、土木構築物用構築材として、複数の独立した板状の壁材を連結線により連結した壁面パネルが用いられ、その壁面パネルには、後方に延びる延出部も、その延出部に設けられる抵抗力増大部も、いずれも有していないことから、重量を格段に低減させて積み上げ作業等を軽減できることができることになる。勿論この場合、個々の壁材を積み上げる場合に比して積み上げ施工回数を減らすことができると共に、連結線を壁材間で曲げて壁面パネルを湾曲させることができることになる。
したがって、略垂直な擁壁面を高い高さをもって形成する場合であっても、容易且つ確実に構築できる擁壁構造を提供できることになる。
【０００９】
請求項２に記載された発明によれば、各支柱が、前後方向において対向する一対の対向壁部と、該一対の対向壁部を連結する連結壁部とを有して、内部が該一対の対向壁部間を介して外部に開放される構成とされ、アンカー部材が、支柱から裏込め材料内に延びる軸状部と、該軸状部の先端部に設けられるストッパーパネルとを備え、一対の対向壁部のうち、後側対向壁部に挿通孔が形成され、後側対向壁部の挿通孔にアンカー部材の基端部が挿通され、アンカー部材の基端部に、後側対向壁部を挟持するように一対のナットが螺合されていることから、少なくとも、アンカー部材のストッパーパネル部分を裏込め材料によって埋め込めれば、アンカー部材を前後方向にほぼ不動状態（大きな移動抵抗が確保された状態）にすることができ、その状態で、軸状部の基端部に螺合される一対のナットの螺合状態を調整することにより、各支柱をその下端部を支点として前後方向に起倒動することができ、所望の起立状態（略垂直状態）を簡単且つ確実に得ることができることになる。このため、高さが高く且つ略垂直な擁壁面を確実に形成できることになる。
しかもこの場合、各支柱における側方の一方が外部に開口され、その開口を通じて軸状部の基端部に対するナットの螺合状態をスパナ等を用いて容易に調整できることになる。
【００１０】
請求項３に記載された発明によれば、一対の対向壁部のうちの前側対向壁部に挿通孔が形成され、壁面パネルの裏面側に雌ねじ部が形成され、前側対向壁部の後方側から該前側壁部の挿通孔にボルトが挿通され、そのボルトが壁面パネルの雌ねじ部に螺合されていることから、壁面パネル、支柱及びアンカー部材が機械的結合をもって連結されることになり、高い信頼性をもって強度を確保できることになる。
しかもこの場合も、各支柱における側方の一方が外部に開口され、その開口を通じて、ボルトに対してスパナ等により回転力を与えて、そのボルトを壁面パネルの雌ねじ部に螺合できることになり、支柱に対する壁面パネルの取付けを容易にすることができることになる。
【００１１】
請求項４に記載された発明によれば、壁面パネルが、雌ねじ部とボルトとの螺合関係を利用して、隣り合う両支柱に跨るようにして取付けられていることから、壁面パネル内を貫通する連結線を、隣り合う支柱を跨ぐ補強材として有効に利用できることになり、擁壁としての強度を効果的に確保しつつ、施工性を向上させることができることになる（壁面パネルを用いることによる積み上げ施工回数の低減）。
【００１２】
請求項５に記載された発明によれば、各支柱が、複数の支柱構成部材を上下方向に連結する構成とされていることから、支柱構成部材を、必要に応じて順次、連結することにより、支柱の高さを所望の高さとすることができ、高さの高い擁壁をも簡単に構築できることになる。
しかも、各支柱構成部材にアンカー部材がそれぞれ取付けられていることから、複数の支柱構成部材を連結して用いるとしても、その各支柱構成部材の起立状態をアンカー部材により的確に保持できることになる。
【００１３】
請求項６に記載された発明によれば、各支柱構成部材が、前後方向において対向する一対の対向壁部と、該一対の対向壁部を連結する連結壁部とを有して、外部に開口する凹所が形成される構成とされ、各アンカー部材が、支柱構成部材から裏込め材料内に延びる軸状部と、該軸状部の先端部に設けられるストッパーパネルとを備え、各支柱構成部材に、一対の対向壁部の後側対向壁部において挿通孔が形成され、各支柱構成部材における後側対向壁部の挿通孔に前記アンカー部材の基端部がそれぞれ挿通され、各アンカー部材の基端部に、前記後側対向壁部を挟持するように一対のナットが螺合されていることから、支柱として、複数の支柱構成部材が連結されてなるものを用いる場合であっても、前記請求項２と同様の作用効果を得ることができることになる。
【００１４】
請求項７に記載された発明によれば、各支柱構成部材に、一対の対向壁部の前側対向壁部において挿通孔が形成され、壁面パネルの裏面側に雌ねじ部が形成され、各支柱構成部材における前側対向壁部の後方側から該前側壁部の挿通孔にボルトがそれぞれ挿通され、ボルトが前記壁面パネルの雌ねじ部に螺合されていることから、支柱として、複数の支柱構成部材が連結されてなるものを用いる場合であっても、前記請求項３と同様の作用効果を得ることができることになる。
【００１５】
請求項８に記載された発明によれば、積み上げられた壁面パネルのうち、上下に隣り合う壁面パネルが凹凸嵌合されていることから、その凹凸嵌合に基づき、各壁面パネルが他の壁面パネルとの関係で支柱から離れる方向の移動が規制されることになり、擁壁としての強度を一層、高めることができることになる。
【００１６】
請求項９に記載された発明によれば、先ず、複数の支柱を施工面上に間隔をあけて立設し、次に、各支柱にアンカー部材を後側に延びるようにして取付けると共に、該アンカー部材が移動抵抗力を発揮するように該アンカー部材を裏込め材料をもって埋め込み、次に、長尺な壁面パネルを、支柱の前側において順次、積み上げると共に、該各壁面パネルを該支柱のいずれかに取付け、次に、積み上げられた壁面パネルの後側に裏込め材料を充填することから、前記請求項１に係る擁壁構造を具体的に施工することができることになる。
また、支柱に対する壁面パネルの取付け前に、アンカー部材が移動抵抗力を発揮するように該アンカー部材が裏込め材料をもって埋め込まれることから、該アンカー部材により支柱の起立状態が補強されることになり、調整作業を減らして施工を容易にできるばかりか、略垂直な擁壁面を有する擁壁構造を確実に施工できることになる。
【００１７】
請求項１０に記載された発明によれば、アンカー部材を、各支柱に該各支柱の下側から上側に間隔をあけて順次、取付けることとし、その支柱に対する各アンカー部材の取付けの度に、そのアンカー部材の取付け後において、裏込め材料によるアンカー部材の埋め込み、壁面パネルの積み上げ及び積み上げられた壁面パネルの後側への裏込め材料の充填を一連の作業として、行うことから、各アンカー部材により、各支柱を常に的確な起立状態に維持することを高めることができることになり、一層、略垂直な擁壁面を有する擁壁構造を容易且つ確実に施工できることになる。
【００１８】
請求項１１に記載された発明によれば、支柱に対するアンカー部材の取付け構造を、該アンカー部材の基端部を該支柱の構成部を貫通させると共に該構成部を該アンカー部材の基端部に螺合される一対のナットにより挟持するものとし、一連の作業のうち、裏込め材料によるアンカー部材の埋め込み後であって壁面パネルの積み上げ前、或いは該壁面パネルの積み上げ後の少なくともいずれか一方の時において、支柱の起立状態を調べて、該支柱の起立状態を前記アンカー部材の基端部に対する前記一対のナットの螺合状態の調整により調整することから、壁面パネルの積み上げ前に各支柱を所望の起立状態にしたり、壁面パネルの積み上げ後（取付け後）において、各支柱を所望の起立状態にしたりすることができることになり、的確に、略垂直な擁壁面を有する擁壁構造を構築できることになる。
【００１９】
請求項１２に記載された発明によれば、各支柱を、複数の支柱構成部材を上方に順次、連結して延ばし、各支柱構成部材に対して、２本以上のアンカー部材を上下方向に間隔をあけて取付けることから、支柱構成部材を連結することにより各支柱を適宜、長くすることができると共に、そのように支柱構成部材を連結することにより各支柱を長くする場合であっても、各支柱構成部材に取付けられる２本以上のアンカー部材により的確に各支柱を略垂直な起立状態として、略垂直な擁壁面を有する擁壁構造を構築できることになる。
【００２０】
請求項１３に記載された発明によれば、壁面パネルの壁材間に保水部材が設けられていることから、植物の生育を促進して、擁壁面の緑化を図る上で好ましいものとなる。
【００２１】
【発明の実施の形態】
以下、本発明の実施形態について図面に基づいて説明する。
図１〜図４において、符号１は、土木構築物としての擁壁（擁壁構造）で、この擁壁１は、基礎構造体２と、該基礎構造体２上に立設される複数の支柱３と、該各支柱３に取付けられるアンカー部材４と、前記複数の支柱３に沿わせつつ積み上げられた状態で該支柱３に取付けられる壁面パネル５とにより概略構成されており、この擁壁１により、その擁壁１の後側に充填される裏込め材料６（盛土材料）が保持されることになっている。
【００２２】
前記基礎構造体２（基礎工）は、図１〜図３に示すように、擁壁形成部分において、その上面が施工面７と略面一になるように形成すべく、砕石層８と、基礎コンクリート９とを備えている。砕石層８は、地中内において、一定の幅（例えば６００ｍｍ程度）、一定の層厚（例えば２００ｍｍ前後）をもって延びており、例えば、擁壁面が平坦な場合には、図１に示すように、砕石層８はまっすぐに延び、擁壁面を外に向かって凸となるような曲面とする場合には、砕石層８は、円弧状を形成するように延びることになっている。基礎コンクリート９は、一定の幅（例えば４００ｍｍ程度）、一定の層厚（例えば２００ｍｍ前後）をもって砕石層８上に載置された状態で該砕石層８に沿って延びており、この基礎コンクリート９の上面は、施工面と面一な状態をもった基礎面９ａとされている。
【００２３】
前記複数の支柱３は、図１、図２に示すように、前記基礎コンクリート９の基礎面９ａ上にその基礎コンクリート９の延び方向において所定間隔毎に設置されている。各支柱３は、図４に示すように、断面が略コ字状とされて、前後方向に対向する一対の対向壁部１０と、その一対の対向壁部１０を連結する連結壁部１１とを備えており、その一対の対向壁部１０のうちの一方が前側壁部１０ａ、他方が後側壁部１０ｂとされ、その内部は一対の対向壁部１０間を介して外部に開放されることになっている。この場合、各支柱における連結壁部１１の下端部がＬ字状の止金具１２を介して基礎コンクリート９の基礎面９ａに固定されており、このため、Ｌ字状の止金具１２の一方の面が基礎コンクリート９の基礎面９ａに打ち込みアンカーピン１３を用いて固定され、その止金具１２の他方の面が支柱の連結壁部１１にボルト等１４を用いて固定されることになっている。また、この支柱の前側壁部１０ａには、横方向に延びる壁面パネル用取付け長孔１５が上下方向に所定間隔毎に形成され、後側壁部１０ｂには、アンカー用取付け孔１６が上下方向に一定間隔毎に形成されている。
【００２４】
前記各支柱３は、所定長さ（１〜１．５ｍ前後）の複数の支柱構成部材１７を連結することにより構成されている。各支柱構成部材１７も、前側壁部１０ａ、後側壁部１０ｂ、連結壁部１１を備えており、その支柱構成部材１７を連結することにより、支柱３として、上下方向に長く延びる前側壁部１０ａ、後側壁部１０ｂ、連結壁部１１が確保されることになっている。この各支柱構成部材１７の連結には、断面コ字状の連結金具１８と平板状の当て板１９とが用いられており、各支柱構成部材１７の端面を互いに合致させるように当接させた状態の下で、連結すべき両支柱構成部材１７の連結壁部１１が連結金具１８と当て板１９とにより挟持され、それらがボルト等２０を用いて一体的に固定されることになっている。この各支柱構成部材１７の前側壁部１０ａには、前記壁面パネル５用取付け長孔１５が、その支柱構成部材１７が支える壁面パネル５の積層数に応じた数（例えば４つ）が形成され、各支柱構成部材１７の後側壁部１０ｂには、その延び方向両側において前記アンカー用取付け孔１６が形成されている（図２，図４参照）。
【００２５】
前記各支柱３（各アンカー用取付け孔１６）には、図１，図３，図４に示すように、アンカー部材４が取付けられている。アンカー部材４は、軸状部２１（例えば亜鉛メッキ処理された鉄筋で１９００〜５９００ｍｍ前後の長さのもの）と、ストッパーパネル２２とを備えている。軸状部２１は、その両端部に雄ねじ部が形成されており、そのうちの一端部（基端部）は、アンカー用取付け孔１６に挿通された状態でその一端部に螺合された一対のナット２３ａ，２３ｂによって後側壁部１０ｂを挟持することになっており、他端側（先端側）は、後側に延びて裏込め材料６（盛土材料）内に埋設されている。ストッパーパネル２２は、その板面を軸状部２１の延び方向に向けつつ該軸状部２１により貫通され、その移動は、本実施形態においては、そのストッパーパネル２２の両側において軸状部２１の他端部（先端部）に螺合される一対のナット２４ａ，２４ｂにより、不能とされている。これにより、ストッパーパネル２２が裏込め材料６と協働して大きな移動抵抗を確保し、アンカー部材４（支柱３）が前後方向（図３中、左右方向）に移動することを規制できることになっている。このストッパーパネル２２としては、金属板、プラスチック板等、適宜のものを用いることができる。
【００２６】
前記複数の壁面パネル５は、図１〜図４に示すように、擁壁面を形成すべく、前記複数の支柱３の前側に配設されている。各壁面パネル５は、複数（本実施形態においては５つ）の独立した壁材としての擬石ブロック２５が一列に連結されて長尺なパネル状に形成されており、各擬石ブロック２５は、コンクリートを用いて厚板状で且つ長方形状に形成されている（例えば、縦辺：２５０ｍｍ前後、横辺：４００ｍｍ前後、厚み：１００ｍｍ前後）。この壁面パネル５には、図５，図６に示すように、その裏面において、２種類の連結孔２６，２７が形成されている。その２種類の連結孔２６，２７の内周面には雌ねじ部が形成されており、その各雌ねじ部は、壁面パネル５の製造時にインサートナットを埋め込むことにより形成されている。一方の連結孔２６は、壁面パネル５の長手方向端部に位置されて、隣り合う壁面パネル５同士を連結するために用いられるものであり、他方の連結孔２７は、壁面パネル５の長手方向において、一方の連結孔２６よりもやや内方側に位置されて支柱３に取付けるために用いられるものである。これにより、壁面パネル５の取付けが可能になるだけでなく、壁面パネル５に出っ張り部が存在しないため、壁面パネル５（裏面）を支柱３（支柱構成部材１７）に沿わせつつ積み重ねることを容易にできると共に、搬送時に壁面パネル５を積み重ねて搬送することができることになる。
尚、本実施形態においては、上下の壁面パネル５の擬石ブロック２５をずらして積層配置する関係上、壁面パネル５の連結孔２７の位置を異ならせたもの、図７，図８に示すように壁材ブロック２５の数を少なくしたもの等、複数種類のものが用意されている。
【００２７】
この各擬石ブロック２５は、図５〜図８に示すように、該各擬石ブロック２５の横辺が横方向に連続するように配列されており、その全ての擬石ブロック２５は、その各擬石ブロック２５を横方向に貫通する連結線としての鉄筋２８（本実施形態においては、径が１０ｍｍ前後の２本の鉄筋（鉄線））により、互いに連結されている。この２本の鉄筋２８は、上下関係を保つように位置されており、その各鉄筋２８は、所定以上の荷重を加えることにより容易に曲げることができるように設定されている。この所定以上の荷重は、各擬石ブロック２５の連結強度を確保できることを前提に、曲げ作業性を考慮して適宜決められることになっている。このため、擬石ブロック２５間の隙間を考慮にいれつつ、複数の支柱３に沿わせるべく、鉄筋２８を各擬石ブロック２５間において曲げることによって、壁面パネル５４の前面を所望曲率の湾曲面、直角状態等に形成できることになっている。
【００２８】
前記壁面パネル５４の各擬石ブロック２５には、図２，図３〜図５，図７，図８に示すように、その上端面及び下端面において突部２９，３０が形成されている。擬石ブロック２５上端面の突部２９は、その厚み方向前側（図３中、左側）において設けられ、擬石ブロック２５下端面の突部３０は、その厚み方向後側（図３中、右側）において設けられており、壁面パネル５を上下に積層したときに、その両突部２９，３０の関係により上下の壁面パネル５は、凹凸嵌合ができるようになっている。
【００２９】
このような壁面パネル５は、前記複数の支柱３に沿うようにして積み上げられている。すなわち、壁面パネル５は、複数の支柱３が形成する輪郭に沿うように基礎面９ａ上につなぐように配設されると共に、その上に、次の壁面パネル５が、順次、積み上げられることになっており、その各壁面パネル５は、当接することになる該当支柱３の前側壁部１０ａに取付けられることになっている。この取付けにおいては、支柱３における前側壁部１０ａに形成される取付け長孔１５にボルト３１が挿通され、そのボルト３１が壁面パネル５の連結孔２７に螺合されて、該当支柱３と壁面パネル５とが一体化（連結）されることになっている。この場合、各壁面パネル５は、基本的に、隣り合う支柱３を跨ぐように配設され、その両支柱３に連結されることになっているが、部分的に壁面の調整を図るために、擬石ブロック２５の数が少ない壁面パネル５が使用されることになっている。（図７，８参照）。また、本実施形態においては、各壁面パネル５の長手方向端部が、その壁面パネル５に隣り合う壁面パネル５に連結孔２６，連結板３２、ボルト等を利用して連結され、さらには、上下の壁面パネル５の上下端面同士が凹凸嵌合されており、各壁面パネル５は強固に一体化されている。
【００３０】
前記積み上げられた壁面パネル５の後側には、図３に示すように、吸い出し防止材３４を介して裏込め材料６が充填されている。裏込め材料６としては、土等が用いられており、吸い出し防止材３４は、各壁面パネル５における壁材ブロック２５の間からその土等がこぼれでることを確実に防ぐことになっている。
【００３１】
したがって、上記擁壁１においては、アンカー部材４が裏込め材料６と協働して各支柱３の起立状態を補強することから、その起立度の高い（垂直度の高い）各支柱３に対して沿わせつつ壁面パネル５を積み上げると共に、その各壁面パネル５を支柱３に取付けさえすえば、その各壁面パネル５をもって、高さの高い略垂直な擁壁面であっても確実に形成できることになる。
また、この擁壁１においては、土木構築物用構築材が複数の壁材からなる壁面パネル５だけからなり、その壁面パネル５に、後方に延びる延出部も、その延出部に設けられる抵抗力増大部も、いずれも有していないことから、重量を格段に低減させて積み上げ作業等を軽減できることができることになる。勿論この場合、個々の擬石ブロック２５を積み上げる場合に比して積み上げ施工回数を減らすことができると共に、連結線２８を擬石ブロック２５間で曲げて壁面パネル５を湾曲させることができることになる。
【００３２】
さらに、アンカー部材４のストッパーパネル２２部分を裏込め材料６によって埋め込むことにより、アンカー部材４を前後方向にほぼ不動状態（大きな移動抵抗が確保された状態）にすることができ、その状態で、軸状部２１の一端部に螺合される一対のナット２３ａ，２３ｂの螺合状態を調整することにより、各支柱３をその下端部を支点として前後方向に起倒動することができ、所望の起立状態（略垂直状態）を簡単且つ確実に得ることができることになる。
【００３３】
さらにまた、壁面パネル５、支柱３及びアンカー部材４が機械的結合をもって連結されることになり、高い信頼性をもって強度を確保できることになる。特に本実施形態においては、壁面パネル５が、基本的に、連結孔とボルトとの螺合関係を利用して、隣り合う両支柱３に跨るようにして取付けられていることから、壁面パネル５内を貫通する連結線２８を、隣り合う支柱２８を跨ぐ補強材として有効に利用できることになり、擁壁１としての強度を効果的に確保しつつ、施工性を向上させることができることになる（壁面パネル５を用いることによる積み上げ施工回数の低減）。
【００３４】
このような擁壁１は、次のようにして施工（構築）される。
先ず、図９に示すように、擁壁を形成すべき施工面７の一部を所定深さまで掘削し、その内部に基礎工を施工し、基礎構造体２を形成する。この場合、基礎構造体２の基礎面９ａは、施工面７の他の部分と面一にされ、一定の幅をもって延ばされる。勿論、外に向けて凸となる擁壁面を形成する場合には、基礎面９ａは、一定の幅の下で湾曲しつつ延びることになる。
【００３５】
次に、図１０に示すように、前記基礎面９ａ上に、複数の支柱構成部材１７が間隔をあけて設置される。壁面パネル５を当該支柱構成部材１７に沿わせつつ取付けて、略垂直な擁壁面を形成するためである。
この場合、支柱構成部材１７間の間隔は、壁面パネル５の長手方向長さを考慮して適宜、決められることになっており、本実施形態においては、壁面パネル５が隣り合う支柱構成部材１７間に跨ることができるようにすべく、その間隔は１ｍ前後に設定されている。また、基礎面９ａに対する支柱構成部材１７の取付けにおいて、Ｌ字状の止金具１２が用いられるが、この止金具１２の一方側を基礎面９ａに打ち込みアンカーピン１３を用いて固定しておくことにより、他方側が上方に向けて起立することになり、これにより、ボルト等１４を用いて簡単に、その他方側に支柱構成部材１７における連結壁部１１の下端部を沿わせつつ固定できることになる。これに伴い、支柱構成部材１７の一対の対向壁部１０が前後方向に並ぶことになり、前側壁部１０ａは、後側壁部１０ｂよりも前側に位置することになる。
【００３６】
次に、図１１に示すように、各支柱構成部材１７の下端部にアンカー部材４が取付けられると共に、基礎面９ａの上方部分を除いて、アンカー部材４が裏込め材料６により埋められる。アンカー部材４を利用して、支柱構成部材１７の垂直度を調整可能とすると共に、支柱構成部材１７の垂直状態を強固に保持するためである。すなわち、アンカー部材４のストッパーパネル２２等が裏込め材料６により埋められて該アンカー部材４が前後方向に移動不能となることから、そのアンカー部材４が取付けられた支柱構成部材１７は、その起立状態を強固に保持できるが、その起立状態が垂直状態からずれている場合には、アンカー部材４における軸状部２１の一端部に螺合される一対のナット２３ａ，２３ｂの螺合状態を調整することにより、支柱構成部材１７は、垂直状態に調整される（図１１の矢印はナット２３ａ，２３ｂの回転を示す）。この場合、大きな移動抵抗力を確実に確保するために、裏込め材料６はローラ車等により転圧される。
【００３７】
次に、図１２に示すように、壁面パネル５が複数の支柱構成部材１７の前側に沿うように配設されつつ、支柱構成部材１７の高さ分だけ、積み上げられると共に、その各壁面パネル５は、当接することになる該当支柱構成部材１７に取付けられる。垂直な擁壁を構成するためである。
この場合、支柱構成部材１７における前側壁部１０ａの取付け長孔１６からボルト３１を通して壁面パネル５の連結孔２７に螺合されることになるが、このとき、基礎面９ａの上方部分に裏込め材料６が未だ充填されておらず、しかも、支柱構成部材１７の内部が外部に開放されてボルト締めが容易に行えることから、各壁面パネル５の取付けを簡単に行うことができることになる。
【００３８】
次に、図１２に示すように、積み上げられた壁面パネル５の背面に、各支柱構成部材１７間において吸い出し防止材３４がそれぞれ設けられる。裏込め材料６の流失を確実に防止するためである。
【００３９】
次に、図１３に示すように、積み上げられた壁面パネル５の後側において、基礎面９ａ上方部分に裏込め材料６をが充填されて、それがタンパ等により締め固めが行われ、その後、積み上げられた壁面パネル５の近傍付近を除き、次のアンカー部材４の取付け位置まで裏込め材料６が充填される。次のアンカー部材４を支柱構成部材１７に取付けるためである。
【００４０】
次に、図１４に示すように、支柱構成部材１７の上端部（アンカー用取付け孔１６）に次のアンカー部材４が取付けられると共に、積み上げられた壁面パネル５の近傍付近を除き、そのアンカー部材４が裏込め材料６により埋められる。アンカー部材４を利用して、壁面パネル５が取付けられた支柱構成部材１７の垂直度を再度調整可能とすると共に、支柱構成部材１７の垂直状態を、一層強固に保持するためである。
【００４１】
アンカー部材４による支柱構成部材１７の調整を終えると、各支柱構成部材１７の上端部に新たな支柱構成部材（図示略）が連結されて、各支柱の長さが上方に延ばされると共に、積み上げられた壁面パネル５の後側において、基礎面９ａ上方部分に裏込め材料６が充填されて、それがタンパ等により締め固めが行われ、その後、積み上げられた壁面パネル５の近傍付近を除き、さらに次のアンカー部材４の取付けを位置まで裏込め材料６を充填する。そのアンカー部材４を次の支柱構成部材１７に取付けるためである。
【００４２】
以後、このような作業が繰り返され、図１５に示すように所望の高さにおいて、天端コンクリート３６が形成されて（天端工）、作業が終了される。
【００４３】
したがって、上記施工方法によれば、前記擁壁構造を具体的に施工することができるばかりか、支柱３（支柱構成部材１７）に対する壁面パネル５の取付け前に、アンカー部材４が移動抵抗力を発揮するように該アンカー部材４が裏込め材料６をもって埋め込まれることから、該アンカー部材４により支柱の起立状態が補強されることになり、調整作業を減らして施工を容易にでき、さらには、垂直な擁壁面を有する擁壁構造を確実に施工できることになる。
【００４４】
また、アンカー部材４を、各支柱構成部材１７に該各支柱の下側と上側とに取付けることとし、その支柱３（支柱構成部材１７）に対する各アンカー部材４の取付けの度に、そのアンカー部材４の取付け後において、裏込め材料６によるアンカー部材４の埋め込み、壁面パネル５の積み上げ及び積み上げられた壁面パネル５の後側への裏込め材料６の充填を一連の作業として、行うことから、各アンカー部材４により、各支柱３が支柱構成部材１７を連結する構成のものでも、常に的確な起立状態に維持することを高めることができることになり、垂直な擁壁面を有する擁壁構造を容易且つ確実に施工できることになる。
【００４５】
さらに、一連の作業のうち、裏込め材料６によるアンカー部材４の埋め込み後であって壁面パネル５の積み上げ前、及び壁面パネル５の積み上げ後の時において、支柱３（支柱構成部材１７）の起立状態をレベル計等により調べて、該支柱３（支柱構成部材１７）の起立状態を前記アンカー部材４の基端部に対する一対のナット２３ａ，２３ｂの螺合状態の調整により調整することから、壁面パネル５の積み上げ前に各支柱３（支柱構成部材１７）を所望の起立状態にしたり、壁面パネル５の積み上げ後（取付け後）において、各支柱を所望の起立状態にしたりすることができることになり、的確に、垂直な擁壁面を有する擁壁構造を構築できることになる。勿論、上記調整を、裏込め材料６によるアンカー部材４の埋め込み後であって壁面パネル５の積み上げ前、或いは壁面パネル５の積み上げ後のいずれか一方の時に行ってもよい。
【００４６】
図１６は他の実施形態を示すものである。この他の実施形態においては、前記実施形態と同一構成要素については同一符号を付してその説明を省略する。
【００４７】
この実施形態においては、壁面パネル５における擬石ブロック２５間に保水機能を発揮する保水部材４１が保持されている。すなわち、隣り合う擬石ブロック２５間の隙間４２が、前部半分が前側に向かうに従って横方向に開くように形成されている一方、後部半分が後側に向かうに従って横方向に開くように形成されており、その後部半分の隙間４２に保水部材４１が嵌め込まれている。この保水部材４１としては、例えば、不織布に液状の保水剤を含浸させたもの、袋状のものに顆粒状の保水剤を入れたもの、保水性の繊維であって織布又は不織布であるもの、保水性の高い固形状のブロック形状のもの等が用いられる。
これにより、擬石ブロック２５間の隙間４２を通じて植物４３を生やすことができることになり、擁壁面の緑化を促進することができることになる。勿論この場合、保水部材４１は、裏込め材料６からも吸い出し防止材３４を経て水分の補給を受けることになる。
【００４８】
以上実施形態について説明したが本発明にあっては、次のようなものを包含する。
１）各支柱３（各支柱構成部材１７）として、断面略コ字状のものに代えて、断面略エ字状のもの（一対の対向壁部１０をその両者の真ん中で連結壁部１１により連結した構成のもの）等を用いること。
２）壁面パネル５を支柱３（支柱構成部材１７）に取付ける態様として、壁面パネル５の裏面側にボルト等のねじ部材を突設して設け、そのねじ部材を、支柱３における前側壁部の取付け長孔１５に挿通し、その挿通されたねじ部材に対してナットを螺合することを含むこと。
３）軸状部２１の先端部に対するストッパーパネル２２の取付け態様として、軸状部２１に留め具を取付けて、ストッパーパネル２２の内方側への移動を規制する一方、軸状部２１を折り曲げて軸状部２１の延び方向外方にストッパーパネル２２が移動することを規制する態様、シボ等の拡径部を軸状部２１に形成して、ストッパーパネル２２の内方側への移動を規制する一方、軸状部２１にナットを螺合して軸状部２１の延び方向外方にストッパーパネル２２が移動することを規制する態様、軸状部２１に留め具を取付けて、ストッパーパネル２２の内方側への移動を規制する一方、軸状部２１にリング状等のカール部を形成して軸状部２１の延び方向外方にストッパーパネル２２が移動することを規制する態様等を含むこと。
４）支柱構成部材１７にアンカー部材を、２本に限らず、３本以上取付けること。
【図面の簡単な説明】
【図１】実施形態に係る擁壁構造を示す斜視図。
【図２】実施形態に係る擁壁構造を後方側から見た図。。
【図３】実施形態に係る擁壁構造を示す縦断面図。
【図４】実施形態に係る擁壁構造を説明する要部拡大図。
【図５】実施形態に係る標準的な壁面パネルを後方側から見た図。
【図６】図５に係る壁面パネルを上方から見た図。
【図７】実施形態に係る他の種類の壁面パネルを後方側から見た図。
【図８】実施形態に係るさらに他の種類の壁面パネルを後方側から見た図。
【図９】実施形態に係る擁壁構造の施工工程を示す図。
【図１０】図９の続きの工程を示す図。
【図１１】図１０の続きの工程を示す図。
【図１２】図１１の続きの工程を示す図。
【図１３】図１２の続きの工程を示す図。
【図１４】図１３の続きの工程を示す図。
【図１５】図１４の続きの工程を示す図。
【図１６】他の実施形態を説明する説明図。
【符号の説明】
１　擁壁
３　支柱
４　アンカー部材
５　壁面パネル
６　裏込め材料
９ａ　基礎面
１０　対向壁部
１０ａ　前側壁部
１０ｂ　後側壁部
１５　壁面パネル用取付け長孔（挿通孔）
１６　アンカー用取付け孔（挿通孔）
１７　支柱構成部材
２３ａ　ナット
２３ｂ　ナット
２７　連結孔（雌ねじ部）
２９　突部
３０　突部
３１　ボルト
４１　保水部材
【図１】
2004124394.tif 000003
【図２】
2004124394.tif 000004
【図３】
2004124394.tif 000005
【図４】
2004124394.tif 000006
【図５】
2004124394.tif 000007
【図６】
2004124394.tif 000008
【図７】
2004124394.tif 000009
【図８】
2004124394.tif 000010
【図９】
2004124394.tif 000011
【図１０】
2004124394.tif 000012
【図１１】
2004124394.tif 000013
【図１２】
2004124394.tif 000014
【図１３】
2004124394.tif 000015
【図１４】
2004124394.tif 000016
【図１５】
2004124394.tif 000017
【図１６】
2004124394.tif 000018